(57)【要約】【課題】作業ごとに最適な環境を付与でき、コンパクトで、複数人にも適用可能なように集合体を形成することが可能なワークブースを提供する。【解決手段】平面視略５角形状の外周辺３ａ〜３ｅを有し、その一側辺３ｅから着座者が進入できる凹状内周辺４を有する机天板２と、凹状内周辺４が開放される一側辺３ｅを除く外周辺に沿うように床面から机天板２より上方の適宜高さまで立設させた複数枚の側パネル５とからなり、着座者が凹状内周辺４に向かう向きに応じて各側パネル５の内壁面及び／または机天板２の材質または色彩等の雰囲気を変更させる。各机天板２における凹状内周辺４の底部に対向する位置の２つの外周辺３ａ，３ｂによる夾角が９０度または１２０度であるように設定する。【選択図】  図１
2004180937.tif 000002
【特許請求の範囲】
【請求項１】
平面視略５角形状の外周辺を有し、その一側辺から着座者が進入できる凹状内周辺を有する机天板と、
前記凹状内周辺が開放される一側辺を除く外周辺に沿うように床面から前記机天板より上方の適宜高さまで立設させた側パネルとからなり、
着座者が前記凹状内周辺に向かう向きに応じて前記各側パネルの内壁面及び／または机天板の材質または色彩等の雰囲気を変更させたことを特徴とするワークブース。
【請求項２】
前記各机天板における前記凹状内周辺が開放される一側辺以外の外周辺の一部に沿う前記側パネルを共有する状態で複数の机天板を平面視で隣接させたことを特徴とする請求項１に記載のワークブース。
【請求項３】
前記凹状内周辺の底部に対向する位置の２つの外周辺による夾角が９０度または１２０度であるように設定したことを特徴とする請求項１または２に記載のワークブース。
【発明の詳細な説明】
【０００１】
【発明の属する技術分野】
本発明は、個人の知的活動や能力を促進できるように机天板の前に着座する人の向きによって雰囲気を変更させたワークブースに関するものである。
【０００２】
【従来の技術】
最近、オフィスオートメーション（ＯＡ）化の発達に伴い、オフィス環境を向上させることが重要視され、独立環境性や照明効果等の人間工学的観点から、例えば、特許文献１や特許文献２では、オフィスの大きい室を低い間仕切で仕切ったワークスペースからなるワークスペースシステムが開示されている。
【０００３】
しかしながら、前記ワークスペースでは、作業者が一定の机天板の方向を向いて種々の作業を実行している。即ち、左脳的作業である計算業務を実行したり、右脳的作業であるデザイン創作をしたり、その途中で他の部署や外部の人とと連絡する等の情報の交換作業を実行しているにも拘らず、作業者の取り巻く環境が一定のままであるため、作業者の頭脳に対する刺激が低下し、作業能率が低下するという問題があった。
【０００４】
そこで、本出願人等は、先に、［特許文献３］において、個室内に配置する机天板の向きを、計算作業等の左脳的作業用と、デザイン創作活動等の右脳的作業用と、その他（例えば、パーソナルコンピュータによるまとめ作業、電話、インターネットによる通信作業等）の中間的作業用とに分ける。即ち、それらの机天板の向き（ひいては机天板の前の椅子に座る人の向き）が３方向になるように配置し、それぞれの作業に最適な環境を創るべく、机天板の配置や材質等を工夫したワークスペースシステムについて提案した。
【０００５】
【特許文献１】
特公平６−３６７７２号公報
【特許文献２】
意匠登録第８１９００８号公報
【特許文献３】
特開２００２−１２１９１７号公報
【０００６】
【発明が解決しようとする課題】
本発明は、前記先行技術をさらに改良して、前記各作業ごとに最適な環境を付与でき、コンパクトで、複数人にも適用可能なように集合体を形成することが可能なワークブースを提供することを目的とするものである。
【０００７】
【課題を解決するための手段】
前記目的を達成するため、請求項１に記載の発明のワークブースは、平面視略５角形状の外周辺を有し、その一側辺から着座者が進入できる凹状内周辺を有する机天板と、前記凹状内周辺が開放される一側辺を除く外周辺に沿うように床面から前記机天板より上方の適宜高さまで立設させた側パネルとからなり、着座者が前記凹状内周辺に向かう向きに応じて前記各側パネルの内壁面及び／または机天板の材質または色彩等の雰囲気を変更させたものである。
【０００８】
請求項２に記載の発明は、請求項１に記載のワークブースにおいて、前記各机天板における前記凹状内周辺が開放される一側辺以外の外周辺の一部に沿う前記側パネルを共有する状態で複数の机天板を平面視で隣接させたものである。
【０００９】
そして、請求項３に記載の発明は、請求項１または２に記載のワークブースにおいて、前記凹状内周辺の底部に対向する位置の２つの外周辺による夾角が９０度または１２０度であるように設定したものである。
【００１０】
【発明の実施の形態】
次に、本発明を具体化した実施形態について説明する。図１（ａ）は本発明の第１実施形態に係るワークブースの平面図、図１（ｂ）は第２実施形態の平面図、図２はワークブースの構成部品の分解斜視図、図３は図１（ａ）  ＩＩＩ−ＩＩＩ  線矢視側断面図、図４〜図６は配置例を示す平面図である。
【００１１】
本出願人が先に提案した特開平１１−３２４，３６４号公報に開示したように、作業者の脳波の測定結果によれば、作業中の左右側頭部から検出して計測されたα波帯脳波（８〜１３Ｈｚ）の自己相関関数の有効継続時間（τｅ）の変化から、任意の作業が左右どちらの脳半球で主として処理されているかが判別できる、ということが明らかにされている。
【００１２】
そして、右脳的作業（例えば図面作成、模型製作、工作作業）を実行中に、所定のリズムの音楽を作業者に聞かせると、例えば、交通騒音等のノイズ（阻害音）が聞こえず、外部からの右脳で処理される聴覚的刺激を排除できることがわかっており、さらに、右脳的作業後には、その作業者に所定の映像（例えば、木の葉が風に揺れている映像）を見せると、右脳がリラックスすることがわかっている。
【００１３】
同様に、左脳的作業（例えば計算作業）を実行中に、所定の大きさのホワイトノイズを作業者に聞かせることで他人の話声等の阻害音が聞こえず、外部からの左脳で処理される聴覚的刺激を排除できることがわかっている。また、左脳的作業後には、その作業者に所定のリズムの音楽を聞かせると、当該左脳がリラックスするのである。
【００１４】
さらに、最近の研究によれば、左脳的作業中に、右脳的な音（例えば川の流れの音や海の波の音のような自然界の音）を作業者に聞かせ、また、右脳的作業中に、左脳的な音（音楽）を聞かせると、作業能率が向上する作業者（被検者）が多く、いわゆる作業促進効果があることも判明している。また、前記の阻害音の音圧レベル（騒音レベル）を３０デシベル以下に抑えると、効果的であることも判明している。さらに、作業者が触る机天板の触感や机天板の形状、色等の雰囲気の視覚によっても脳に与える刺激が異なることや、前記右脳的作業及び左脳的作業が共に促進され、作業能率の低下が少ないことも判明している。このような、所定の雰囲気を最適環境情報という。
【００１５】
上記のような実験結果を踏まえて、図１（ａ）及び図１（ｂ）に示すようなユニット形態のワークブースを採用したものである。
【００１６】
即ち、本ワークブース１は、平面視略５角形状の外周辺３ａ，３ｂ，３ｃ，３ｄ，３ｅを有し、その一側辺３ｅから着座者が進入できる凹状内周辺４を有する机天板２と、前記凹状内周辺４が開放される一側辺３ｅを除く外周辺３ａ〜３ｄに各々沿うように床面から前記机天板２より上方の適宜高さまで立設させた複数枚（実施形態では４枚）の側パネル５とからなる。机天板２は、その凹状内周辺４内に着座者が位置すると、後述するように、着座領域を囲んで３方向に使用できるものである。
【００１７】
図１（ａ）に示す机天板２では前記凹状内周辺４の底部（一側辺３ｅに開放される側と反対側）と対向する外周辺３ａ，３ｂの夾角（以下先端角度という）が９０度に設定されているものであり、図１（ｂ）に示す机天板２では先端角度は１２０度に設定されている。
【００１８】
側パネル５の左右両縦縁に沿って固定する縦長のスタッド部材６には上下方向に一定間隔にて係止孔７が穿設されている。複数枚の側パネル５を連結して床面から立設するためには、各側パネル５の左右縦縁に前記スタッド部材６を挟んで支柱９を介して隣接する側パネル５、５同士を連結したものである。なお、各支柱９の断面は、左右に隣接する側パネル５、５間の夾角に合うように形成されており、この各支柱９の下端には、高さ調節のためのアジャスタ１０を備えている。
【００１９】
前記側パネル５の幅と同じ寸法を有する支持ブラケット１１の左右両端には、背面の上下部位に周知の構成である係合爪を備えたブラケット１２、１２を有する。この支持ブラケット１１におけるブラケット１２、１２背面の係合爪を、前記各側パネル５における左右縦縁に沿って設けられたスタッド部材６の所定高さ位置の係止孔７、７に落とし込み係合する。この複数の支持ブラケット１１にて前記机天板２の４つの外周辺３ａ，３ｂ，３ｃ，３ｄの下面を支持した状態で図示しないビス等にて机天板２と支持ブラケット１１とを固定する。この状態では、平面視５角形の机天板２の外周辺のうち、前記凹状内周辺４が開放された一側辺３ｅを除く４辺が４枚の側パネル５にて囲まれたワークブースが形成される。側パネル５の高さは、椅子１３に座った着座者の頭部よりも若干（１０〜２０ｃｍ程度）高いものである。
【００２０】
そして、前記凹状内周辺４内の椅子１３に座った着座者の向かう向きに応じて前記各側パネル５の内壁面及び／または机天板２の材質または色彩等の雰囲気を変更させたものである。
【００２１】
例えば、机天板２の左右部位（外周辺３ｃに対峙する側（左）、外周辺３ｄに対峙する側（右））と、その中間部位外周辺３ａ及び３ｂに対向する側）とを、左脳的作業に適した部位と、右脳的作業に適した部位とそれら以外の中間作業に適した部位となるように形成する。
【００２２】
左脳的作業用の机天板２の部位は、木質またはスチール板にて構成した暖色系（白色、ベージュ系）の色彩で無地（模様無し）、表面の滑らかな感触の質感を有するものが好ましい。また、左脳的作業環境を作り出すために側パネル５の内壁面は、その素材が鋼板等の金属系もしくは金属板の表面に無地（無模様）の塗装を施し、その表面の質感は滑らかで凹凸部を形成しない。側パネル５の内壁面の色彩は、白色、ベージュ系で、クールな感じ（冷たい感じ）の明るい色調とする。
【００２３】
右脳的作業環境用の机天板２の部位は、例えば、天然木材であって、節目の多い板目が表面に露出するようなやや手触りの荒い触知覚（触覚）のものや、木質系の板の表面にメラミン樹脂等で木質柄を印刷した表皮部を有するものや、模型製作、工作等で多少傷ついても良いものを使用し、暖色系且つ明度の大きい（明るい）色彩等の質感のものを使用する。それに対応する側パネル５の素材は鋼板（金属板）、木質材の表面に布貼りしたものを使用するか、木目調の表面シートを貼着したものであり、その側パネル５の表面の色彩は、暖色系（赤黄色、ウオールナット色、ブラウン（バーチ）色、ローズウッド色等、赤系色、黄系色）とする。
【００２４】
左脳的作業としては、計算作業や文章作成作業を実行する等がある。右脳的作業は、簡単な模型製作等の工作作業をはじめ図面やイラスト画作成作業等がある。
【００２５】
中間作業用の机天板２の部位では、パーソナルコンピュータによるまとめ作業や、各種情報を他の部署等の外部に発信し、また外部からの情報を受信する通信作業等の中間的作業を実行するので、ＬＡＮ、インターネット通信等のためのコンピュータ装置や通信（電話）設備（図示せず）が配置されており、パーソナルコンピュータの本体等の情報装置やＣＲＴもしくは液晶のモニタを机天板２に載置することができる。中間作業用の机天板２の部位及び側パネル５の内壁面の表面が青色等の寒色系の表面材を貼着したものが好ましい。
【００２６】
前記各実施形態において側パネル５の内壁面の色彩のみを作業環境ごとに変更させるように設定しても良い。
【００２７】
このように、机天板２の凹状内周辺の箇所に着座する人の向きに応じて、当該箇所の机天板２及び対応する側パネル５の内壁面の材質、触感、色彩、形状等の質感（雰囲気）を異ならせることにより、作業者が視覚に訴えられる視知覚から、右脳、または左脳に異なる刺激を受けて、それぞれの作業環境が向上し、作業促進するという効果を奏する。
【００２８】
図４〜図６は前記図１（ａ）に示すワークブース１（前記机天板２における先端角度が９０度のもの）を集合的に配置した場合（集合体を構成する場合）の配置平面図であり、図４では、２つのワークブース１の机天板２、２における先端角度の部分を左右に隣接させて配置する。図６では４つのワークブース１の机天板２、２、２、２における先端角度の部分を突き合わせて配置する。これらの例では、いずれも、各机天板２における前記凹状内周辺４が開放される一側辺３ｅ以外の外周辺３ａ、３ｂに沿う前記側パネル５及び支柱９を共有する状態で複数の机天板２を平面視で隣接させたものである。
【００２９】
図５に示す例では、複数の机天板２における凹状内周辺４が開放される一側辺３ｅの向きを平行状に配置し、且つ左右に隣接する机天板２の外周辺３ｃ、３ｄは共通の側パネル５を挟んで平行状に対向させる一方、向かい合う机天板２は先端角度の部分を相手側の配置の隙間に入れ子式に配置したものである。
【００３０】
上記各集合的配置では側パネル５や支柱９を共有できるから、ワークブースを集合配置するときに無駄な部材を省略でき、コストの削減にも寄与できる。
【００３１】
なお、前記各実施形態において、机天板２の凹状内周辺の箇所に着座する人の向きに応じて、机天板２上を照らす照明装置の色調（明度や色、照度）を変更させるようにしても、作業者の視覚的刺激が作業の種類ごとに変化するので、各作業能率を向上させることができる。
【００３２】
【発明の効果】
以上に説明したように、請求項１に記載の発明のワークブースは、平面視略５角形状の外周辺を有し、その一側辺から着座者が進入できる凹状内周辺を有する机天板と、前記凹状内周辺が開放される一側辺を除く外周辺に沿うように床面から前記机天板より上方の適宜高さまで立設させた側パネルとからなり、着座者が前記凹状内周辺に向かう向きに応じて前記各側パネルの内壁面及び／または机天板の材質または色彩等の雰囲気を変更させたものである。
【００３３】
従って、ワークブース内の凹状内周辺に位置した作業者が机天板に対する向きを変えるだけで、当該机天板及び／又は側パネルの質感、色彩等の雰囲気が変わり、作業の種類に応じて作業者の気分転換を図って個人の創造力及び作業能率を向上させることができるという効果を奏する。
【００３４】
請求項２に記載の発明は、請求項１に記載のワークブースにおいて、前記各机天板における前記凹状内周辺が開放される一側辺以外の外周辺の一部に沿う前記側パネルを共有する状態で複数の机天板を平面視で隣接させたものであるから、複数のワークブースを集合的に配置するとき、側パネル等を共有できるから、無駄な部材を省略でき、コストの削減にも寄与できる。
【００３５】
そして、請求項３に記載の発明は、請求項１または２に記載のワークブースにおいて、前記凹状内周辺の底部に対向する位置の２つの外周辺による夾角が９０度または１２０度であるように設定したものである。このような先端角度に設定した机天板を利用すると、前記ワークブースの集合的配置の場合に室の無駄空間を少なくできるという効果を奏する。
【図面の簡単な説明】
【図１】（ａ）は先端角度が９０度の机天板を使用したワークブースの平面図、（ｂ）は先端角度が１２０度の机天板を使用したワークブースの平面図である。
【図２】ワークブースの構成部品の分解斜視図である。
【図３】図１の  ＩＩＩ−ＩＩＩ  線矢視側断面図である。
【図４】ワークブースの集合的配置を示す平面図である。
【図５】ワークブースの集合的配置を示す他の平面図である。
【図６】ワークブースの集合的配置を示すさらに他の平面図である。
【符号の説明】
１      ワークブース
２      机天板
３ａ〜３ｅ    外周辺
４      凹状内周辺
５      側パネル
９      支柱
１１      支持ブラケット
【図１】
2004180937.tif 000003
【図２】
2004180937.tif 000004
【図３】
2004180937.tif 000005
【図４】
2004180937.tif 000006
【図５】
2004180937.tif 000007
【図６】
2004180937.tif 000008
【手続補正書】
【提出日】平成14年12月5日(2002.12.5)
【手続補正１】
【補正対象書類名】明細書
【補正対象項目名】００１８
【補正方法】変更
【補正の内容】
【００１８】
側パネル５の左右両縦縁に沿って固定する縦長のスタッド部材６には上下方向に一定間隔にて係止孔７が穿設されている。複数枚の側パネル５を連結して床面から立設するためには、各側パネル５の左右縦縁に前記スタッド部材６を挟んで支柱９を介して隣接する側パネル５、５同士を連結したものである。なお、各支柱の断面は、左右に隣接する側パネル５、５間の夾角に合うように形成されており、この支柱９の下端（図３参照）またはスタッド部材６の下端（図２参照）には、高さ調節のためのアジャスタ１０を備えている。